(57)【要約】【課題】同一の画像データについて複数の印刷条件を設定して複数の印刷処理を実行する際の作業効率を高めることが可能な画像形成装置および画像形成方法を提供する。【解決手段】複写機１は、同一の画像データに係る印刷処理に適用されるべき複数の印刷条件の設定入力を操作部１１を介して予め受け付けて印刷条件記録部１８に記録する。また、複写機１は、複数の印刷条件を適用して印刷されるべき画像データの入力を受け付けて画像データ記録部１９に記録する。さらに、複写機１は、複数の印刷条件のそれぞれと画像データとを対応づけて複数の印刷ジョブデータを作成し、作成された複数のジョブデータを基に、順次、印刷処理を実行する。【選択図】  図３
2006166266.tif 000002
【特許請求の範囲】
【請求項１】
同一の画像データに係る印刷処理に適用されるべき複数の印刷条件の設定入力を受け付ける設定受付手段と、
前記複数の印刷条件を適用して印刷されるべき画像データの入力を受け付ける入力受付手段と、
前記複数の印刷条件および前記画像データをそれぞれ記録する記録手段と、
前記複数の印刷条件のそれぞれと前記画像データとを対応づけて、前記画像データに係る複数の印刷ジョブデータを作成するジョブデータ作成手段と、
前記複数の印刷ジョブデータを基に印刷処理を実行する画像形成手段と、
を備えたことを特徴とする画像形成装置。
【請求項２】
前記入力受付手段は、原稿の画像情報を読み取る画像読取装置であり、
前記設定受付手段は、前記画像読取装置に読み取られるべき原稿に係る印刷処理に適用されるべき複数の印刷条件の設定入力をまとめて受け付けることを特徴とする請求項１に記載の画像形成装置。
【請求項３】
前記ジョブデータ作成手段が作成した印刷ジョブデータに係る印刷ジョブの内容を表示する表示手段を、さらに備え、
前記設定受付手段は、印刷ジョブの順序を変更する順序条件の設定入力を受け付け、
前記画像形成手段は、前記順序条件に基づいた順序で印刷処理を実行することを特徴とする請求項１または２に記載の画像形成装置。
【請求項４】
前記印刷条件に、モノクロ印刷またはカラー印刷、片面印刷または両面印刷、印刷倍率、割り付け印刷設定、縮小率、印刷部数が含まれることを特徴とする請求項１〜３のいずれか１項に記載の画像形成装置。
【請求項５】
前記ジョブデータ作成手段は、モノクロ印刷に係る印刷ジョブデータ、およびカラー印刷に係る印刷ジョブデータがそれぞれ連続するように印刷ジョブの順序を設定することを特徴とする請求項４に記載の画像形成装置。
【請求項６】
同一の画像データに係る印刷処理に適用されるべき複数の印刷条件の設定入力を予め受け付けて記録するステップと、
前記複数の印刷条件を適用して印刷されるべき画像データの入力を受け付けて記録するステップと、
前記複数の印刷条件のそれぞれと前記画像データとを対応づけて複数の印刷ジョブデータを作成するステップと、
作成された複数のジョブデータを基に、順次、印刷処理を実行するステップと、
を含む画像形成方法。
【発明の詳細な説明】
【技術分野】
【０００１】
この発明は、入力された画像データおよび印刷設定情報に基づいて印刷処理を実行する画像形成装置および画像形成方法に関する。
【背景技術】
【０００２】
近年の画像形成装置の多くは原稿自動搬送装置を備えている。原稿自動搬送装置を備えた画像形成装置では、１まとまりの原稿束を原稿トレイにセットしてスタートすれば、自動的にその原稿束に係る印刷処理が順次実行される。近年では、印刷速度の向上と相まって、多量の原稿に係る印刷処理が行い易くなっている。
【０００３】
ところが、原稿束ごとに印刷条件が異なる場合には、印刷条件が互いに異なる原稿束を分けて原稿トレイにセットし、原稿束毎に印刷処理を行う必要があった。このため、印刷条件が異なる原稿に係る印刷処理を実行するユーザは、なかなか画像形成装置の前から離れることができず不便であった。
【０００４】
そこで、従来技術の中には、複数の原稿束に対して異なる印刷条件を適用できる画像形成装置、すなわち、マルチジョブモードで動作可能な画像形成装置が多く用いられる（例えば、特許文献１参照。）。画像形成装置をマルチジョブモードで動作させることにより、印刷条件が異なる原稿束に対する印刷処理が簡便化する。
【特許文献１】特開平５−３３３６２１号公報
【発明の開示】
【発明が解決しようとする課題】
【０００５】
しかしながら、特許文献１に係る発明を含む従来技術では、異なる原稿束についてのマルチジョブしか考慮していない。このため、従来の画像形成装置において、同一の原稿束について互いに異なった複数の印刷条件を設定して印刷をする場合、印刷条件の種類の数だけ原稿束の読取処理を行う必要があった。したがって、原稿束に含まれる原稿の数が多い場合や、印刷条件が多い場合には、ユーザの負担が大きくなるという不都合があった。
【０００６】
この発明の目的は、同一の画像データについて複数の印刷条件を設定して複数の印刷処理を実行する際の作業効率を高めることが可能な画像形成装置および画像形成方法を提供することである。
【課題を解決するための手段】
【０００７】
（１）本発明に係る画像形成装置は、
同一の画像データに係る印刷処理に適用されるべき複数の印刷条件の設定入力を受け付ける設定受付手段と、
前記複数の印刷条件を適用して印刷されるべき画像データの入力を受け付ける入力受付手段と、
前記複数の印刷条件および前記画像データをそれぞれ記録する記録手段と、
前記複数の印刷条件のそれぞれと前記画像データとを対応づけて、前記画像データに係る複数の印刷ジョブデータを作成するジョブデータ作成手段と、
前記複数の印刷ジョブデータを基に印刷処理を実行する画像形成手段と、
を備えたことを特徴とする。
【０００８】
本発明に係る画像形成装置は、同一の画像データに係る印刷処理にマルチジョブモードの印刷を実行する。同一の画像データの印刷処理に適用される複数の印刷条件を設定受付手段が受け付け、かつ、画像データを入力受付手段が受け付けると、これらの画像データおよび印刷条件が記録手段に記録される。ジョブデータ作成手段は、記録手段に記録された画像データおよび印刷条件を基に、入力された画像データに係る複数の印刷ジョブデータを作成する。
【０００９】
この結果、画像データの入力を一度行うだけで、この画像データについて、それぞれ印刷条件の異なる複数の印刷ジョブデータが作成される。その後、画像形成手段によって作成された複数の印刷ジョブデータを基に順次印刷処理が行われる。
【００１０】
（２）  （１）に記載の画像形成装置であって、
前記入力受付手段は、原稿の画像情報を読み取る画像読取装置であり、
前記設定受付手段は、前記画像読取装置に読み取られるべき原稿に係る印刷処理に適用されるべき複数の印刷条件の設定入力をまとめて受け付けることを特徴とする。
【００１１】
この構成においては、画像読取装置によって原稿の画像情報が読み取られて記録手段に記録され、かつ、設定受付手段によってこの原稿に係る印刷処理に適用される複数の印刷条件が受け付けられて記録手段に記録される。ジョブデータ作成手段は、記録手段の記録内容を基に、同一の原稿束に係る互いに印刷条件が異なる複数の印刷ジョブデータを作成する。この結果、複数の印刷条件を設定して一度だけ原稿束を読み取らせれば、この原稿束に係る複数の印刷処理が順次画像形成手段によって実行される。なお、原稿束とは１まとまりの原稿という意味であり、ここでは原稿束の意味には１枚の原稿が含まれるものとする。
【００１２】
（３）  （１）または（２）に記載の画像形成装置であって、
前記ジョブデータ作成手段が作成した印刷ジョブデータに係る印刷ジョブの内容を表示する表示手段を、さらに備え、
前記設定受付手段は、印刷ジョブの順序を変更する印刷順序の設定入力を受け付け、
前記画像形成手段は、前記印刷順序を基に印刷処理を実行することを特徴とする。
【００１３】
この構成においては、画像データと複数の印刷条件のそれぞれとを組み合わせて作成された複数のジョブデータが表示手段を介してユーザに示される。さらに、設定受付手段は、印刷ジョブの順序を変更するユーザから入力操作を受け付ける。このため、印刷処理が開始された後でも印刷ジョブの順序変更が可能となる。
【００１４】
（４）  （１）〜（３）のいずれかに記載の画像形成装置であって、
前記印刷条件に、モノクロ印刷またはカラー印刷、片面印刷または両面印刷、印刷倍率、割り付け印刷設定、縮小率、印刷部数が含まれることを特徴とする。
【００１５】
この構成においては、モノクロ印刷またはカラー印刷、片面印刷または両面印刷、印刷倍率、割り付け印刷設定、縮小率、印刷部数等の印刷条件が適宜画像データに係る印刷処理に適用される。
【００１６】
（５）  （４）に記載の画像形成装置であって、
前記ジョブデータ作成手段は、モノクロ印刷に係る印刷ジョブデータ、およびカラー印刷に係る印刷ジョブデータがそれぞれ連続するように印刷ジョブの順序を設定することを特徴とする。
【００１７】
この構成においては、モノクロ印刷およびカラー印刷がそれぞれ連続して実行されるように、ジョブデータ作成手段が印刷ジョブの順序を設定する。この結果、モノクロ印刷およびカラー印刷が交互に実行される場合に比較して、モノクロ印刷とカラー印刷とを切り換える回数が減少するため、画像形成手段の動作が簡略化する。また、モノクロ印刷を連続させて、高速印刷を実行することが可能になり、印刷処理の高速化が図られる。
【００１８】
（６）  本発明に係る画像形成方法は、
同一の画像データに係る印刷処理に適用されるべき複数の印刷条件の設定入力を予め受け付けて記録するステップと、
前記複数の印刷条件を適用して印刷されるべき画像データの入力を受け付けて記録するステップと、
前記複数の印刷条件のそれぞれと前記画像データとを対応づけて複数の印刷ジョブデータを作成するステップと、
作成された複数のジョブデータを基に、順次、印刷処理を実行するステップと、
を含むことを特徴とする。
【発明の効果】
【００１９】
（１）同一の画像データに対して複数の印刷条件を設定して複数の印刷処理をする場合の作業を簡便化できる。
【００２０】
（２）同一の原稿束に対して複数の印刷条件を設定して複数の印刷処理をする場合の作業を簡便化できる。
【００２１】
（３）印刷ジョブの順序を適宜変更することが可能になる。
【００２２】
（４）同一の画像データの印刷処理に適用される印刷条件のバリエーションを増加させることができる。
【００２３】
（５）モノクロ印刷およびカラー印刷の間の切換回数を減少させることができる。
【００２４】
（６）同一の画像データに対して複数の印刷条件を設定して複数の印刷処理をする場合の作業を簡便化できる。
【発明を実施するための最良の形態】
【００２５】
以下、図を用いて本発明の画像形成装置および画像形成方法の実施形態である複写機を説明する。
【００２６】
図１は、この発明の第１の実施形態に係る複写機１の概略構成を示す図である。複写機１は、原稿台１１１、両面原稿自動搬送装置１１２、画像読取部１１０、画像形成部２１０、および給紙部２１１を備える。
【００２７】
原稿台１１１は、主に、透明のコンタクトガラスで構成される。両面原稿自動搬送装置１１２は、原稿台１１１の上面を開放または閉塞する原稿台カバーとして機能する。両面原稿自動搬送装置１１２は、原稿トレイにセットされた原稿を自動的に順次原稿台１１１に送り出す。画像読取部１１０は、原稿台１１１の下方に配置され、原稿台１１１上に位置する原稿の画像情報を読み取る。画像読取部１１０は、原稿台１１１の下面に沿って往復移動する第１の走査ユニット１１３および第２の走査ユニット１１４と、光学レンズ１１５と、光電変換素子であるＣＣＤラインセンサ１１６と、を備える。
【００２８】
第１の走査ユニット１１３は、原稿の画像の表面を露光する露光ランプと、原稿からの反射光像を所定の方向に向かけて偏向する第１ミラーと、を有する。第１の走査ユニット１１３は、所定の走査速度で原稿台１１１に対して平行に往復移動する。第２の走査ユニット１１４は、第１の走査ユニット１１３の第１ミラーによって偏向された原稿からの反射光像をさらに所定の方向に向かって偏向する第２ミラーおよび第３ミラーを有する。第２の走査ユニット１１４は、第１の走査ユニット１１３と一定の速度関係を保って原稿台１１１に対して平行に往復移動する。
【００２９】
光学レンズ１１５は、第２の走査ユニットの第３ミラーによって偏向された原稿からの反射光像を縮小し、縮小された光像をＣＣＤラインセンサ１１６上の所定位置に結像させる。
【００３０】
ＣＣＤラインセンサ１１６は、結像された光像を順次光電変換して電気信号として出力する。ＣＣＤラインセンサ１１６は、白黒画像またはカラー画像を読み取り、Ｒ(赤)、Ｇ(緑)、Ｂ(青)、ＢＫ（黒）の各色成分に色分解したラインデータを出力することのできる４ラインのカラーＣＣＤである。
【００３１】
画像読取部１１０の下方に、給紙部２１１および画像形成部２１０が配置される。給紙部２１１は、画像形成部２１０の下方に配置され、用紙トレイ内に積載して収容される用紙Ｐを１枚ずつ分離して画像形成部２１０に向けて供給する。給紙部２１１と画像形成部２１０との間には用紙搬送路が形成される。用紙搬送路における画像形成位置の直前にレジストローラ２１２によってタイミングを制御されて画像形成部２１０に搬送される。画像形成部２１０と給紙部２１１との間に、転写搬送ベルト機構２１３が配置される。転写搬送ベルト機構２１３は、駆動ローラ２１４と従動ローラ２１５との間に略平行に張架された転写搬送ベルト２１６に用紙Ｐを静電吸着させて搬送する。
【００３２】
転写搬送ベルト機構２１３より用紙Ｐの搬送方向の下流側に、用紙Ｐ上に転写されたトナー像を用紙Ｐ上に定着させる定着装置２１７が配置される。定着装置２１７の一対の定着ローラ間を通過した用紙Ｐは、用紙Ｐの搬送方向を切り換える切り換えゲート２１８を経て、排出ローラ２１９によって複写機１の外壁に取り付けられている排紙トレイ２２０上に排出される。
【００３３】
切り換えゲート２１８は、画像の定着後の用紙Ｐの搬送経路を、排出トレイ２２０へ用紙Ｐを排出する経路と、画像形成部２１０に向けて用紙Ｐを再供給する経路と、に選択的に切り換える。なお、切り換えゲート２１８によって再び画像形成部２１０に向けて搬送された用紙Ｐは、スイッチバック搬送経路２２１を経由することで表裏を反転された後、画像形成部２１０へ再度供給される。
【００３４】
画像形成部２１０は、転写搬送ベルト２１６の上面に近接するように、第１の画像形成ステーション２３０Ａ、第２の画像形成ステーション２３０Ｂ、第３の画像形成ステーション２３０Ｃ、および第４の画像形成ステーション２３０Ｄを備え、各画像形成ステーション２３０Ａ〜２３０Ｄは、用紙Ｐの搬送方向の上流側からこの順で並設される。
【００３５】
転写搬送ベルト２１６は、駆動ローラ２１４によって、図１において矢印Ｚで示す方向に摩擦駆動され、給紙部２１１によって給送される用紙Ｐを担持し、用紙Ｐを画像形成ステーション２３０Ａ〜２３０Ｄへ順次搬送する。
【００３６】
各画像形成ステーション２３０Ａ〜２３０Ｄは、実質的に同一の構成を有する。各画像形成ステーション２３０Ａ〜２３０Ｄは、図１に示す矢印Ｆ方向に回転駆動される像担持体である感光体ドラム２２２Ａ〜２２２Ｄをそれぞれ含む。
【００３７】
各感光体ドラム２２２Ａ〜２２２Ｄの周辺には、感光体ドラム２２２Ａ〜２２２Ｄをそれぞれ一様に帯電させる帯電器２２３Ａ〜２２３Ｄと、感光体ドラム２２２Ａ〜２２２Ｄ上に形成された静電潜像をそれぞれ現像してトナー像にする現像装置２５０Ａ〜２５０Ｄと、感光体ドラム２２２Ａ〜２２２Ｄ上のトナー像を用紙Ｐへ転写する転写用放電器２２５Ａ〜２２５Ｄと、感光体ドラム２２２Ａ〜２２２Ｄ上に残留するトナーを除去するクリーニング装置２２６Ａ〜２２６Ｄとが感光体ドラム２２２Ａ〜２２２Ｄの回転方向に沿ってこの順に配置される。
【００３８】
また、各感光体ドラム２２２Ａ〜２２２Ｄの上方に、レーザビームスキャナユニット２２７Ａ〜２２７Ｄがそれぞれ設けられる。レーザビームスキャナユニット２２７Ａ〜２２７Ｄは、画像データに応じて変調されたドット光を発する半導体レーザ素子(図示せず)、半導体レーザ素子からのレーザビームを主走査方向に偏向させるためのポリゴンミラー２４０、ポリゴンミラー２４０によって偏向されたレーザビームを感光体ドラム２２２Ａ〜２２２Ｄの表面に結像させるためのｆθレンズ２４１およびミラー２４２，２４３等を備える。
【００３９】
レーザビームスキャナユニット２２７Ａにはカラー原稿画像の黒色成分像に対応する画素信号が、レーザビームスキャナユニット２２７Ｂにはカラー原稿画像のシアン色成分像に対応する画素信号が、レーザビームスキャナユニット２２７Ｃにはカラー原稿画像のマゼンタ色成分像に対応する画素信号が、そして、レーザビームスキャナユニット２２７Ｄにはカラー原稿画像のイエロー色成分像に対応する画素信号が、それぞれ入力される。
【００４０】
これによって色変換された画像データに対応する静電潜像が各感光体ドラム２２２Ａ〜２２２Ｄ上に形成される。そして、現像装置２５０Ａには黒色のトナーが、現像装置２５０Ｂにはシアン色のトナーが、現像装置２５０Ｃにはマゼンタ色のトナーが、現像装置２５０Ｄにはイエロー色のトナーが、それぞれ収容され、感光体ドラム２２２Ａ〜２２２Ｄ上の静電潜像は、これら各色のトナーによって現像される。これによって、色変換された画像データが各色のトナー像として再現される。
【００４１】
また、第１の画像形成ステーション２３０Ａと給紙部２１１との間には用紙吸着用帯電器２２８が設けられ、吸着用帯電器２２８は、転写搬送ベルト２１６の表面を帯電させ、給紙部２１１から供給された用紙Ｐを転写搬送ベルト２１６上に確実に吸着させた状態で第１の画像形成ステーション２３０Ａから第４の画像形成ステーション２３０Ｄまでの間をずれることなく搬送する。
【００４２】
一方、第４の画像ステーション２３０Ｄと定着装置２１７との間で駆動ローラ２１４の略真上部に除電器２２９が設けられる。除電器２２９には、搬送ベルト２１６に静電吸着されている用紙Ｐを転写搬送ベルト２１６から分離するための交流電圧が印加される。
【００４３】
上述のように構成される複写機１では、用紙Ｐとして例えばカットシート状の紙が使用される。用紙Ｐは、給紙カセットから送り出されて給紙部２１１の給紙搬送経路のガイド内に供給されると、その用紙Ｐの先端部分がセンサ（図示せず）によって検知され、このセンサから出力される検知信号に基づいて一対のレジストローラ２１２によって一旦停止される。
【００４４】
そして、用紙Ｐは各画像形成ステーション２３０Ａ〜２３０Ｄとタイミングを計って図１の矢印Ｚ方向に回転している転写搬送ベルト２１６上に送られる。このとき、転写搬送ベルト２１６には上述したように吸着用帯電器２２８によって所定の帯電が施されているので、用紙Ｐは、各画像形成ステーション２３０Ａ〜２３０Ｄを通過する間、安定して搬送される。
【００４５】
各画像形成ステーション２３０Ａ〜２３０Ｄでは、各色のトナー像がそれぞれ形成され、転写搬送ベルト２１６によって静電吸着されて搬送される用紙Ｐ上で重ね合わされる。第４の画像ステーション２３０Ｄによるトナー像の転写が完了すると、用紙Ｐは、その先端部分から順次、除電器２２９によって転写搬送ベルト２１６から剥離され、定着装置２１７へ導かれる。トナー像を定着された用紙Ｐは、用紙排出口(図示せず)から排紙トレイ２２０上へ排出される。
【００４６】
なお、本実施形態ではレーザビームスキャナユニット２２７Ａ〜２２７Ｄによってレーザビームを走査して露光することで感光体ドラム２２２Ａ〜２２２Ｄへの光書き込みを行なう構成について説明したが、レーザビームスキャナユニット２２７Ａ〜２２７Ｄに代えて、発光ダイオードアレイと結像レンズアレイとからなる書き込み光学系（ＬＥＤヘッド）を用いてもよい。ＬＥＤヘッドはレーザビームスキャナーユニット２２７Ａ〜２２７Ｄに比べて、サイズが小さく、また可動部分がないので無音である。したがって、複数個の光書き込みユニットを必要とするタンデム方式のデジタルカラー複写機などの画像形成装置では、好適に用いることができる。
【００４７】
図２は、複写機１の概略構成を示すブロック図である。複写機１は、操作部１１、表示部１２、画像読取部１１０、画像処理部１６、画像形成部２１０、給紙部２１１、ジョブ管理部１３、インタフェース部１７、ＲＡＭ１５、ＲＯＭ１４、およびＣＰＵ１０を備える。
【００４８】
操作部１１は、ユーザが入力操作を行うための複数のキーを有する。表示部１２は、複写機１の動作状況を表示するディスプレイである。画像処理部１６は、画像読取部１１０が読み取った画像データに対して予め設定された手順で画像処理を施す。ジョブ管理部１３は、複写機１における印刷ジョブの管理を行う。インタフェース部１７は、複写機１をネットワークに接続するために必要な機能を有する。ＲＡＭ１５は、ＣＰＵ１０が直接情報を書き込み、または読み出しできる半導体記憶装置であり、入出力データや演算データを一時的に格納する。ＲＯＭ１４は、複写機１の動作に必要な複数種類のプログラムを格納する。ＣＰＵ１０は、ＲＯＭ１４に格納されたプログラムに基づいて、複写機１の各部を統括的に制御する。
【００４９】
図３は、管理部１３の概略構成を示す図である。管理部１３は、印刷条件記録部１８、画像データ記録部１９、およびジョブデータ記録部２０を備える。印刷条件記録部１８は、操作部１１を介して入力される印刷条件を記録する。画像データ記録部１９は、画像読取部１１０から画像処理部１６を介して供給される画像データ、または、インタフェース部１７を介して外部から入力される画像データを記録する。ジョブデータ記録部２０は、入力された印刷条件と画像データとの対応関係を記録する。
【００５０】
図４は、同一の画像データに係るマルチジョブモードの印刷処理時におけるＣＰＵ１０の動作手順を示すフローチャートである。なお、互いに異なる画像データに係るマルチジョブモードについては、公知の画像形成装置と同様の処理がされる。
【００５１】
同一の画像データに係るマルチジョブモードが設定されると、ＣＰＵ１０はマルチジョブモードに係る複数の印刷条件の入力が完了するまで待機する（Ｓ１）。印刷条件の入力が完了すると、ＣＰＵ１０は、入力された印刷条件を印刷条件記録部１８に記録する（Ｓ２）。
【００５２】
続いて、ＣＰＵ１０は、画像データが入力されるまで待機する（Ｓ３）。本実施形態では、ＣＰＵ１０は、両面原稿自動搬送装置１１２にセットされた１０枚の原稿からなる原稿束に係る画像データの読取処理が完了するまで待機する（Ｓ３）。画像データの入力が完了すると、ＣＰＵ１０は入力された画像データＡ〜Ｊを画像データ記録部１９に記録する（Ｓ４）。続いて、ＣＰＵ１０は、複数の印刷条件と入力された画像データＡ〜Ｊとの対応関係を示すジョブデータを作成し、記録部２０に記録する（Ｓ５）。続いて、ＣＰＵ１０は、作成したジョブデータを整列し、その順番に表示する（Ｓ６）。図５（Ａ）は、Ｓ６のステップ後の表示部１２の表示状態を示す。
【００５３】
続いて、ＣＰＵ１０は、設定されたジョブ順を基に画像形成部２１０に印刷処理を実行させる。印刷中、ＣＰＵ１０は、ユーザからジョブ順変更の入力操作があるか否かを検出する（Ｓ９）。図５（Ｂ）に、ジョブ変更の入力操作の際の表示部１２の状態を示す。ユーザは、表示部１２を見ながら優先的に印刷したいジョブを選択する。Ｓ９の判断ステップで、ジョブ順変更の入力操作がされると、ＣＰＵ１０は、ジョブ順を再度整列し、図５（Ｃ）に示すように、整列後のジョブ順を表示部１２に表示させる（Ｓ８）。印刷中にジョブ順変更の入力操作がない場合には、ＣＰＵ１０は、実行すべきジョブがすべて完了したか否かを判断する（Ｓ１０）。Ｓ１０の判断ステップで、ジョブが完了していない場合には、再度Ｓ７の印刷ステップに移行し、ジョブが完了している場合には、ＣＰＵ１０は、マルチジョブモードによる印刷を終了する。
【００５４】
以上のように第１の実施形態によれば、同一の原稿束に対して複数の印刷条件で印刷を行う場合に、原稿束の画像情報の読取操作を一度行うだけで良い。このため、同一の原稿束を複数の印刷条件で印刷する際のユーザの作業を簡便化することができる。
【００５５】
さらに、表示部１２にジョブの進行状態が表示されるため、ユーザは複数の設定を容易に視認できる。また、ジョブが設定された後においてジョブ順の変更を行う必要が生じた場合でも対応できる。
【００５６】
続いて、図６〜図８を用いて本発明の画像形成装置の第２の実施形態を説明する。第２の実施形態に係る複写機１の基本構成は第１の実施形態と同様である。ただし、第２の実施形態では、ジョブ順の設定が第１の実施形態と相違する。
【００５７】
図６は、第２の実施形態のマルチジョブモードにおけるＣＰＵ１０の動作手順を示すフローチャートである。図６におけるＳ１１〜Ｓ２０のステップは、それぞれ図４におけるＳ１〜Ｓ１０のステップに対応する。第２の実施形態では、Ｓ１６のステップに特徴がある。
【００５８】
図７は、Ｓ１６のステップにおけるＣＰＵ１０の動作手順を示す図である。ＣＰＵ１０は、入力された印刷条件の中から、モノクロ印刷に係る印刷条件を抽出する。図８に示す例では、１，３，４，７番目に入力された印刷条件が抽出される。次に、ＣＰＵ１０は、画像データＡ〜Ｊについて、抽出した印刷条件に係るジョブが優先的に実行されるようにジョブ順を設定し表示部１２に表示する（Ｓ２２）。続いて、ＣＰＵ１０は、カラー印刷に係る印刷条件を抽出する（Ｓ２３）。図８に示す例では、２，５，６番目に入力された印刷条件が抽出される。続いて、ＣＰＵ１０は、画像データＡ〜Ｊについてのカラー印刷に係るジョブ順を設定し、表示部１２に表示する（Ｓ２４）。その後、ＣＰＵ１０は、図６におけるＳ１７の印刷ステップに移行する。
【００５９】
以上のように、第２の実施形態によれば、モノクロ印刷およびカラー印刷の間の切換が一度で済むようにジョブ順が設定されるため、モノクロ印刷およびカラー印刷を切り換える際に生じるロスタイムを最小限に抑えることができる。
【００６０】
なお、複写機１が高速印刷モード機能を備える場合には、Ｓ１６のステップにてモノクロ印刷に係るジョブのみが抽出されたときや、モノクロ印刷が連続して実行される場合に、自動的に高速印刷モードに設定するようにしても良い。また、モノクロ印刷とカラー印刷とが混在する場合には、ＣＣＤにおけるＲ，Ｇ，Ｂに係る画像データによってＫに係る画像データを作成すれば良い。
【００６１】
上述の実施形態では、原稿を読み取って印刷する印刷ジョブについて説明したが、外部のパソコンから入力される画像データについても同様に本発明を適用することができる。この場合、同一の画像データに係る印刷処理に適用されるべき複数の印刷条件の設定入力を予め受け付けて複写機１に出力するステップと、複数の印刷条件を適用して印刷されるべき画像データを複写機１に出力するステップと、をコンピュータに実行させるデバイスドライバをパソコンにインストールすると良い。
【００６２】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６３】
【図１】複写機の概略構成を示す図である。
【図２】複写機の概略構成を示すブロック図である。
【図３】第１の実施形態における管理部の概略構成を示す図である。
【図４】マルチジョブモードにおけるＣＰＵ１０の動作手順を示すフローチャートである。
【図５】表示部の表示内容の例を示す図である。
【図６】マルチジョブモードにおけるＣＰＵ１０の動作手順を示すフローチャートである。
【図７】マルチジョブモードにおけるＣＰＵ１０の動作手順を示すフローチャートである。
【図８】第２の実施形態における管理部の概略構成を示す図である。
【符号の説明】
【００６４】
１−複写機
１０−ＣＰＵ
１２−表示部
１３−管理部
１８−印刷条件記録部
１９−画像データ記録部
２０−ジョブデータ記録部
【図１】
2006166266.tif 000003
【図２】
2006166266.tif 000004
【図３】
2006166266.tif 000005
【図４】
2006166266.tif 000006
【図５】
2006166266.tif 000007
【図６】
2006166266.tif 000008
【図７】
2006166266.tif 000009
【図８】
2006166266.tif 000010